(57)【要約】【課題】多様な画像表示を可能とする画像投射スクリーンおよび画像表示システムを提案する。【解決手段】反射型スクリーンと、前記反射型スクリーンの反射面に対向して配置される半透過型スクリーンと、を備え、前記反射型スクリーンと、前記半透過型スクリーンと、により形成される視認空間を有する画像投射スクリーン。【選択図】図１
2016114871.tif 000002
【特許請求の範囲】
【請求項１】
反射型スクリーンと、
前記反射型スクリーンの反射面に対向して配置される半透過型スクリーンと、を備え、
前記反射型スクリーンと、前記半透過型スクリーンと、により形成される視認空間を有する、
ことを特徴とする画像投射スクリーン。
【請求項２】
前記反射型スクリーンの光投射面と、重力方向に交差する方向に備える前記半透過型スクリーンの端部と、が、互いに近接している、
ことを特徴とする請求項１に記載の画像投射スクリーン。
【請求項３】
前記半透過型スクリーンは、光透過率が４０％以上、８０％以下である、
ことを特徴とする請求項１または２に記載の画像投射スクリーン。
【請求項４】
前記半透過型スクリーンは、複数の半透過型スクリーン体が接合され、少なくとも前記複数の半透過型スクリーン体の一つと、他の前記半透過型スクリーン体と、の前記光透過率が異なっている、
ことを特徴とする請求項１から３のいずれか一項に記載の画像投射スクリーン。
【請求項５】
反射型スクリーンと、
前記反射型スクリーンの反射面に対向して配置される半透過型スクリーンと、
プロジェクターと、を備え、
前記反射型スクリーンと、前記半透過型スクリーンと、により形成される視認空間を有し、
前記半透過型スクリーンは、前記反射型スクリーンと、前記プロジェクターと、の間に配置される、
ことを特徴とする画像表示システム。
【請求項６】
複数の前記プロジェクターを備える、
ことを特徴とする請求項５に記載の画像表示システム。
【請求項７】
前記半透過型スクリーンを複数備え、前記複数の半透過型スクリーンの１枚を選択的に前記反射型スクリーンと、前記プロジェクターと、の間に配置させる半透過型スクリーン支持装置と、
前記選択された半透過型スクリーンに対応させた画像を前記プロジェクターより投射させる制御部と、を備える、
ことを特徴とする請求項５または６に記載の画像表示システム。
【請求項８】
前記半透過型スクリーンの少なくとも一部を、前記プロジェクターからの前記画像の投射方向に沿って移動可能とさせるスクリーン駆動部と、
前記スクリーン駆動部への前記半透過型スクリーンの駆動信号に対応させた画像を前記プロジェクターより投射させる制御部と、を備える、
ことを特徴とする請求項５から７のいずれか一項に記載の画像表示システム。
【発明の詳細な説明】
【技術分野】
【０００１】
本発明は、画像投射スクリーンおよび画像表示システムに関する。
【背景技術】
【０００２】
投射型の画像表示装置であるプロジェクターによって、スクリーンに代表される画像表示媒体に画像を表示することが知られている。画像表示媒体のスクリーンは、従来、固定設置を前提としたハードタイプであったり、移動を可能としたソフトタイプであったりしたが、いずれにしてもスクリーンに対する人の移動、例えばスクリーンとプロジェクターの間には投射を妨げないように人が入れない、などの制限があった。
【０００３】
また、従来はスクリーンの画像投射面は、少なくとも平面が維持され、画像を歪ませないようにしていた。しかし、プロジェクターによる画像表示が、単なるプレゼンテーション、あるいはコンテンツ表示だけにとどまらず、疑似的な体験空間、例えば水中にいるような体験ができる空間、を表示できる、すなわち人が自由に画像表示空間で移動が可能となることが求められている。
【０００４】
特許文献１では、光透過性と光拡散性とを有する幕を複数、所定の間隔を有して配置し、複数のプロジェクターを用いて異なる方向から画像を投射するスクリーン装置が提案されている。このスクリーン装置は、幕の間を人が出入りすること、あるいは通り抜けることが可能となり、人などの存在に影響されない投射画像を表示することが可能となるが開示されている。
【０００５】
更に、特許文献２では、平面状に設けられた光透過性を有する幕と、撓みを有して設けられた複数の光透過性を有する幕と、に、少なくとも２方向から画像を投射するスクリーン装置が提案され、この特許文献２に示されたスクリーン装置によれば、簡単な構成で様々な画像表示演出をすることができる、と開示されている。
【先行技術文献】
【特許文献】
【０００６】
【特許文献１】特開２００８−２６８８５８号公報
【特許文献２】特開２０１４−９２５５３号公報
【発明の概要】
【発明が解決しようとする課題】
【０００７】
しかし、特許文献１および特許文献２に示されたスクリーン装置は、少なくとも２台のプロジェクターを用いることによって所望の表示画像が得られるものであった。そこで、プロジェクターが１台であっても、人の存在する状況に制限がなく、しかも多様な画像表示を可能とする画像投射スクリーンおよび画像表示システムを提案する。
【課題を解決するための手段】
【０００８】
本発明は、上述の課題の少なくとも一部を解決するためになされたものであり、以下の形態または適用例として実現することが可能である。
【０００９】
〔適用例１〕本適用例の画像投射スクリーンは、反射型スクリーンと、前記反射型スクリーンの反射面に対向して配置される半透過型スクリーンと、を備え、前記反射型スクリーンと、前記半透過型スクリーンと、により形成される視認空間を有することを特徴とする。
【００１０】
視認空間Ｖｓ内に、観察者としての人が入いり、半透過型スクリーンに投射された投射画像の反転画像と、半透過型スクリーンを透過した投射光が反射型スクリーンに投射されて表示された投射画像と、を視認することができる。このように、本適用例の画像投射スクリーンによれば、視認空間の内部では、画像投射スクリーンにおける反射型スクリーン側と、半透過型スクリーン側と、の両方に画像を映し出すことが可能となり、快適な空間の演出、臨場感のある空間の演出、など様々な空間演出の可能性を広げることができる。また、半透過型スクリーンは、視認空間の外側にも投射画像が映し出されることで、視認空間の外側からも投射画像を視認することができる。合わせて、半透過型スクリーンを通して反射型スクリーンに映し出された投射画像も視認することができることで、視認空間の外にいる観察者には立体的な画像空間を視認することができ、より多彩な空間演出を表現することができる。
【００１１】
〔適用例２〕上述の適用例において、前記反射型スクリーンの光投射面と、重力方向に交差する方向に備える前記半透過型スクリーンの端部と、が、互いに近接していることを特徴とする。
【００１２】
上述の適用例によれば、視認空間を重力方向に交差する方向、いわゆる水平方向、あるいは画像投射スクリーンが設置される床面に沿った方向で閉じられた領域、すなわち３６０度の画像投射面を備える視認空間を形成することができ、多彩な映像演出が可能となる。
【００１３】
〔適用例３〕上述の適用例において、前記半透過型スクリーンは、光透過率が４０％以上、８０％以下であることを特徴とする。
【００１４】
上述の適用例によれば、半透過型スクリーンの画像投射側の面と、その裏面にも画像を映し出すことができ、同時に、半透過型スクリーンを透過する画像投射光によって、視認可能な画像を反射型スクリーンに映し出すことが可能となる。従って、視認空間内での多彩な映像演出を可能とする。
【００１５】
〔適用例４〕上述の適用例において、前記半透過型スクリーンは、複数の半透過型スクリーン体が接合され、少なくとも前記複数の半透過型スクリーン体の一つと、他の前記半透過型スクリーン体と、の前記光透過率が異なっていることを特徴とする。
【００１６】
上述の適用例によれば、半透過型スクリーンの配設形態によって画像の投射光の光量に差異が生じる場合など、投射光量の大小に適合させた光透過率を備える半透過型スクリーン体を配置することで、むら（ばらつき）の無い画像の投射を可能とする。更に、光透過率の差異を映像のバリエーションを持たせる手段として利用することもできる。
【００１７】
〔適用例５〕本適用例の画像表示システムは、反射型スクリーンと、前記反射型スクリーンの反射面に対向して配置される半透過型スクリーンと、プロジェクターと、を備え、前記反射型スクリーンと、前記半透過型スクリーンと、により形成される視認空間を有し、前記半透過型スクリーンは、前記反射型スクリーンと、前記プロジェクターと、の間に配置されることを特徴とする。
【００１８】
視認空間Ｖｓ内に、観察者としての人が入いり、プロジェクターから半透過型スクリーンに投射された投射画像の反転画像と、その半透過型スクリーンを透過した投射光が反射型スクリーンに投射されて表示された投射画像と、を視認することができる。このように、本適用例の画像表示システムによれば、少なくとも１台のプロジェクターを用いるだけで、視認空間の内部では、画像投射スクリーンにおける反射型スクリーン側と半透過型スクリーン側との両方に画像を映し出すことが可能となり、快適な空間の演出、臨場感のある空間の演出、など様々な空間演出の可能性を広げることができる。また、半透過型スクリーンは、視認空間の外側にも投射画像が映し出されることで、視認空間の外側からも投射画像を視認することができる。合わせて、半透過型スクリーンを通して反射型スクリーンに映し出された投射画像も視認することができることで、視認空間の外にいる観察者には立体的な画像空間を視認することができ、より多彩な空間演出を表現可能とする画像表示システムを得ることができる。
【００１９】
〔適用例６〕上述の適用例において、複数の前記プロジェクターを備えることを特徴とする。
【００２０】
上述の適用例によれば、より多彩な画像表示の演出を可能とする画像表示システムを得ることができる。
【００２１】
〔適用例７〕上述の適用例において、前記半透過型スクリーンを複数備え、前記複数の半透過型スクリーンの１枚を選択的に前記反射型スクリーンと、前記プロジェクターと、の間に配置させる半透過型スクリーン支持装置と、前記選択された半透過型スクリーンに対応させた画像を前記プロジェクターより投射させる制御部と、を備えることを特徴とする。
【００２２】
上述の適用例によれば、多様な画像により適した映像を表示することができる半透過型スクリーンを選択することができ、多彩な画像表示の演出を可能とする画像表示システムを得ることができる。
【００２３】
〔適用例８〕上述の適用例において、前記半透過型スクリーンの少なくとも一部を、前記プロジェクターからの前記画像の投射方向に沿って移動可能とさせるスクリーン駆動部と、前記スクリーン駆動部への前記半透過型スクリーンの駆動信号に対応させた画像を前記プロジェクターより投射させる制御部と、を備えることを特徴とする。
【００２４】
上述の適用例によれば、多様な画像により適した映像を表示することができるように、半透過型スクリーンに動きを与えることができ、多彩な画像表示の演出を可能とする画像表示システムを得ることができる。
【図面の簡単な説明】
【００２５】
【図１】第１実施形態に係る画像投射スクリーンの概略構成を示し、（ａ）は外観斜視図、（ｂ）は（ａ）に示すＡ面での断面図、（ｃ）は（ａ）に示すＢ面での断面図。
【図２】第２実施形態に係る画像投射スクリーンの概略構成を示し、（ａ）は外観斜視図、（ｂ）は（ａ）に示すＣ面での断面図。
【図３】第２実施形態に係る半透過型スクリーンのその他の形態を示す外観斜視図。
【図４】第３実施形態に係る画像表示システムを示し、（ａ）は概略構成を示す外観斜視図、（ｂ）は（ａ）に示すＤ面での概略断面図。
【図５】第４実施形態に係る画像表示システムを示し、（ａ）は概略構成を示す外観斜視図、（ｂ）は（ａ）に示すＥ面での概略断面図。
【図６】第４実施形態に係る画像表示システムのその他の形態の概略構成を示す外観斜視図。
【発明を実施するための形態】
【００２６】
以下、図面を参照して、本発明に係る実施形態を説明する。
【００２７】
（第１実施形態）
図１は、第１実施形態に係る画像投射スクリーンの概略構成を示し、（ａ）は外観斜視図、（ｂ）は（ａ）に示すＡ面での断面図、（ｃ）は（ａ）に示すＢ面での断面図である。
【００２８】
図１（ａ）に示すように、画像投射スクリーン１００は、反射型スクリーン２０と、半透過型スクリーン１０と、が互いに対向するように配置されている。ここで反射型スクリーンとは、スクリーンに投射された光のすべてが、スクリーンを透過することなく光の投射側に反射あるいは拡散される性質を持つスクリーンをいう。また、半透過型スクリーンとは、スクリーンに投射された光の一部が、スクリーンを透過し、光が投射されるスクリーン面の裏面からも投射光を視認することができ、尚且つ、投射された光の他の一部はスクリーンを透過することなく光の投射側に反射あるいは拡散される、光透過性と光反射性の性質を併せ持つスクリーンをいう。
【００２９】
反射型スクリーン２０は、図１（ｃ）に示すように、床部３００の上に重力方向（図示矢印Ｇ）に沿って光投射面としての画像投射面２０ａが配置されるように設置される。なお、反射型スクリーン２０の画像投射面２０ａは、拡散型、反射型、あるいは回帰型などの特性のいずれであってもよく、投射する画像コンテンツによって適宜選択すればよい。
【００３０】
半透過型スクリーン１０は、柔軟性があり、光透過性と光反射性とを備える素材が好ましい。例えば寒冷紗、あるいはオーガンザなど、光透過率が４０％以上、８０％以下の素材が好適に用いられる。そして、半透過型スクリーン１０は、図１（ｃ）に示すように、天井部４００から半透過型スクリーン１０を吊下げ支持する吊下げ手段５００によって、重力方向Ｇに自重によって垂れ下げられる。
【００３１】
なお、吊下げ手段５００は、半透過型スクリーン１０を天井面４００ａに沿って移動可能とする移動部を備えている、いわゆるカーテンレールの機能を備えている。そして、図１（ａ）および図１（ｂ）に示すように、吊下げ手段５００によって、半透過型スクリーン１０の重力方向Ｇに交差する端部１０ａ，１０ｂが、反射型スクリーン２０の画像投射面２０ａに近接するまで移動させることができる。そして図１（ｂ）に示す、反射型スクリーン２０と、半透過型スクリーン１０と、によって囲われた３６０度の画像投射面を備える視認空間Ｖｓ（網掛けハッチング部）が形成される。
【００３２】
また、後述するが、画像投射スクリーン１００は、画像投射スクリーン１００に対して画像を投射するプロジェクター２００が、反射型スクリーン２０と、プロジェクター２００と、の間に半透過型スクリーン１０が配置されるように設置される。そして、プロジェクター２００から画像投射スクリーン１００に向けて画像が投射されると、半透過型スクリーン１０に、投射された投射画像Ｐ１が映し出され、尚且つ、半透過型スクリーン１０を透過した画像光が反射型スクリーン２０に投射され、投射画像Ｐ２が映し出される。
【００３３】
そして視認空間Ｖｓ内に、人Ｈｕが入いることにより、反射型スクリーン２０に投射された投射画像Ｐ２を視認することができ、更に、半透過型スクリーン１０に投射された投射画像Ｐ１の図示しない反転画像を視認することができる。このように、本実施形態に係る画像投射スクリーン１００によれば、視認空間Ｖｓの内部では、画像投射スクリーンにおける反射型スクリーン側と半透過型スクリーン側との両方に画像を映し出すことが可能となる。また、半透過型スクリーン１０の端部１０ａ，１０ｂが反射型スクリーン２０の画像投射面２０ａに近接している場合には、画像投射スクリーン１００の全方位、すなわち３６０度の範囲に画像を映し出すことが可能となる。これにより、快適な空間の演出、臨場感のある空間の演出、など様々な空間演出の可能性を広げることができる。
【００３４】
また、半透過型スクリーン１０においては、上述したようにプロジェクター２００に面した、すなわち視認空間Ｖｓの外側にも投射画像Ｐ１が映し出されることで、視認空間Ｖｓの外側からも投射画像Ｐ１を視認することができる。合わせて、半透過型スクリーン１０を通して反射型スクリーン２０に映し出された投射画像Ｐ２も視認することができることで、視認空間Ｖｓの外にいる観察者には立体的な画像空間を視認することができるとともに、空間感を鮮明に与えることができ、より多彩な空間演出を表現することができる。更に、視認領域Ｖｓの内部の様子が、半透過型スクリーン１０を通して視認することができることから、例えば視認空間Ｖｓで投射画像を見ながら遊ぶ子供を、視認空間Ｖｓの外側から保護者が見守ることが同時に可能となり、視認空間Ｖｓ内部での事故防止など、視認空間Ｖｓの外側にいる保護者の保護行動が容易に行える。
【００３５】
上述したように、本実施形態に示す画像投射スクリーン１００では、１台のプロジェクター２００であっても、半透過型スクリーン１０および反射型スクリーン２０の複数のスクリーンに同時に画像を投射することが可能となる。従って、半透過型スクリーン１０は、上述したように光透過率が４０％以上、８０％以下の素材で形成されることが好ましい。光透過率が４０％より小さいと、反射型スクリーン２０に投射される投射画像Ｐ２が暗く、不鮮明になってしまい、光透過率が８０％より大きいと、半透過型スクリーン１０に投射される投射画像Ｐ１が不鮮明になってしまい、合わせて、視認空間Ｖｓの外側からの画像の視認性が劣ってしまう。
【００３６】
（第２実施形態）
図２は、第２実施形態に係る画像投射スクリーン１１０の概略構成を示し、（ａ）は外観斜視図、（ｂ）は（ａ）に示すＣ面での断面図である。なお、第２実施形態に係る画像投射スクリーン１１０は、第１実施形態に係る画像投射スクリーン１００における半透過型スクリーン１０の構成が異なるものであり、その他の第１実施形態に係る画像投射スクリーン１００と同じ構成要素には同じ符号を付し、説明は省略する。
【００３７】
第２実施形態に係る画像投射スクリーン１１０は、図２に示すように、半透過型スクリーン１１が、複数の半透過型スクリーン体１１ａ，１１ｂ，１１ｃが接合され、１枚のスクリーンとされたものである。また、半透過型スクリーン体１１ａ，１１ｂ，１１ｃは、それぞれ光透過率が異なっている。
【００３８】
図２に示すように、第１半透過型スクリーン体１１ａ（以下、第１スクリーン体１１ａという）はプロジェクター２００の投射光を正面から投射される位置に配置され、第２半透過型スクリーン体１１ｂ（以下、第２スクリーン体１１ｂという）および第３半透過型スクリーン体１１ｃ（以下、第３スクリーン体１１ｃという）は、第１スクリーン体１１ａの側方に配置されるように画像投射スクリーン１１０は構成されている。
【００３９】
実施形態では、第１スクリーン体１１ａの光透過率に対して、第２スクリーン体１１ｂ、および第３スクリーン体１１ｃの光透過率が大きく設定されている。なお、第１スクリーン体１１ａ、第２スクリーン体１１ｂ、および第３スクリーン体１１ｃの光透過率は４０％以上、８０％以下の範囲である。
【００４０】
図２に示すように、第１スクリーン体１１ａに投射されるプロジェクター２００からの投射光Ｌ１は、第１スクリーン体１１ａの正面から投射される。これに対して、第２スクリーン体１１ｂに投射されるプロジェクター２００からの投射光Ｌ２は、第２スクリーン体１１ｂに対して相対的に斜め側方より照射される。同様に、第３スクリーン体１１ｃに投射されるプロジェクター２００からの投射光Ｌ３は、第３スクリーン体１１ｃに対して相対的に斜め側方より照射される。なお、投射光Ｌ１，Ｌ２，Ｌ３は、それぞれが異なる投射光ではなく、説明の便宜上、プロジェクター２００から投射される投射光Ｌを区分して表示したものである。
【００４１】
仮に、スクリーン体１１ａ，１１ｂ，１１ｃが同じ光透過率、すなわち第１実施形態に係る半透過型スクリーン１０の構成、である場合、第２スクリーン体１１ｂと、第３スクリーン体１１ｃと、を透過して反射型スクリーン２０に到達する光量は、第１スクリーン体１１ａを透過して反射型スクリーン２０に到達する光量より、少なくなり、反射型スクリーン２０に映し出される映像が、暗くなったり、不鮮明になったりする虞がある。
【００４２】
そこで、第２スクリーン体１１ｂと、第３スクリーン体１１ｃと、の光透過率を、第１スクリーン体１１ａより高くすることにより、半透過型スクリーン１１を透過して反射型スクリーン２０に投射される画像の明るさ、画質、色合いなどの差異を小さくすることができる。
【００４３】
なお、投射される画像の演出として、上述した、第１スクリーン体１１ａの光透過率に対して、第２スクリーン体１１ｂ、および第３スクリーン体１１ｃの光透過率が大きく設定される形態に限定されず、例えば、スクリーン体１１ａ，１１ｂ，１１ｃの光透過率を、各々異なるものにすることもできる。また、第１スクリーン体１１ａの光透過率に対して、第２スクリーン体１１ｂ、および第３スクリーン体１１ｃの光透過率を小さく設定することもできる。
【００４４】
図３は、第２実施形態に係る半透過型スクリーン１１のその他の形態を示す外観斜視図である。図３に示すように、画像投射スクリーン１２０に備える半透過型スクリーン１２は、半透過型スクリーン体１２ａ，１２ｂ，１２ｃが、重力方向Ｇに配置、接合され１枚に形成されている。半透過型スクリーン体１２ａ，１２ｂ，１２ｃは、少なくとも一つのスクリーン体と、他のスクリーン体と、の光透過率が異なっている。このような半透過型スクリーン１２では、重力方向Ｇの投射された画像の差異を、映像演出のバリエーションとして用いることができる。
【００４５】
上述した半透過型スクリーン１１，１２では、３枚の半透過型スクリーン体を１枚に接合させた形態を例示したが、これに限定されず、２枚以上の半透過型スクリーン体を接合させた半透過型スクリーン１１，１２であればよい。また、複数のスクリーン体の内、少なくとも１枚が半透過型スクリーン体であってもよい。また、各スクリーン体の接合方法は、例えば縫製、接着、溶着など、特に限定されるものではない。なお、接合された部分が半透過型の性能を維持されることが好ましい。
【００４６】
以上、説明したように、画像投射スクリーン１００，１１０，１２０では、少なくとも１台のプロジェクター２００を用いるだけで、複数の画質（明るさ、色合い、など）を視認できる映像空間を、視認空間Ｖｓ内に実現することができる。なお、プロジェクター２００は、上記実施形態では１台使用を例示したが、これに限定されず複数台のプロジェクターを用いることができる。このように、半透過型スクリーン１０，１１，１２等と、複数のプロジェクターとを組み合わせることで、多様な映像表現を可能にするものである。
【００４７】
（第３実施形態）
図４は、第３実施形態に係る画像表示システムを示し、（ａ）は概略構成を示す外観斜視図、（ｂ）は（ａ）に示すＤ面での概略断面図である。なお、上述した第１実施形態に係る画像投射スクリーン１００と同じ構成要素には同じ符号を付し、説明は省略する。
【００４８】
図４（ａ）に示す画像表示システム１０００（以下、システム１０００という）は、反射型スクリーン２０と、画像を投射する複数のプロジェクター１２１０，１２２０，１２３０と、の間に半透過型スクリーン１０１２が配置されている。そして、図４（ｂ）に示すように、反射型スクリーン２０と、半透過型スクリーン１０１２と、によって囲まれる視認空間Ｖｓが形成され、人Ｈｕは視認空間Ｖｓ内において反射型スクリーン２０と、半透過型スクリーン１０１２と、にプロジェクター１２１０，１２２０，１２３０から投射される映像を視認することができる。
【００４９】
本実施形態に係るシステム１０００では、図４（ａ）で例示するように３台のプロジェクター１２１０，１２２０，１２３０が設置され、画像データを有するパーソナルコンピューター１３００（以下、ＰＣ１３００という）から送られた画像データを投射する。
【００５０】
更に、図４で例示するシステム１０００において、反射型スクリーン２０と、プロジェクター１２１０，１２２０，１２３０と、の間には半透過型スクリーン１０１２が配置されているが、天井部４００には、図４（ｂ）に示すように複数の半透過型スクリーン１０１１，１０１２，１０１３が設置されている。
【００５１】
半透過型スクリーン１０１１，１０１２，１０１３は、半透過型スクリーン支持装置１５００（以下、支持装置１５００という）によって天井部４００の天井面４００ａに設置されている。支持装置１５００は、半透過型スクリーン１０１１（以下、第１スクリーン１０１１という）を支持する第１支持装置１５１０と、半透過型スクリーン１０１２（以下、第２スクリーン１０１２という）を支持する第２支持装置１５２０と、半透過型スクリーン１０１３（以下、第３スクリーン１０１３という）を支持する第３支持装置１５３０と、を含んでいる。第１支持装置１５１０には、図示しない巻き上げ手段によって第１スクリーン１０１１を巻き上げ収納が可能であり、同様に、第２支持装置１５２０は第２スクリーン１０１２を、第３支持装置１５３０は第３スクリーン１０１３を、それぞれ巻き上げ収納が可能としている。
【００５２】
そして、支持装置１５００はＰＣ１３００からの入力信号に応じてスクリーン制御部１４００からの制御信号によって、第１スクリーン１０１１、第２スクリーン１０１２、あるいは第３スクリーン１０１３のいずれかを垂れ下げることで、所望の半透過型スクリーンを配置することができる。
【００５３】
また、ＰＣ１３００の制御によって、第１スクリーン１０１１、第２スクリーン１０１２、および第３スクリーン１０１３と、プロジェクター１２１０，１２２０，１２３０のいずれかと、を組み合わせて、様々な映像表現を実現することができる。例えば、第１スクリーン１０１１、第２スクリーン１０１２、および第３スクリーン１０１３のそれぞれの光透過率を異なるものにする、あるいは第１スクリーン１０１１、第２スクリーン１０１２、および第３スクリーン１０１３のそれぞれの色を異なるものにする、あるいは、第１スクリーン１０１１、第２スクリーン１０１２、および第３スクリーン１０１３のそれぞれの素材を異なるものにするなど、多様な映像表現を可能にするものである。
【００５４】
なお、上述したシステム１０００では、半透過型スクリーンが３枚、プロジェクターが３台のシステム構成を例示したが、これに限定されない。また、上述のシステム１０００では、複数の半透過型スクリーンと、複数のプロジェクターと、による画像表示システムを説明したが、１枚の半透過型スクリーン、すなわち第１実施形態に係る画像投射スクリーン１００と、１台のプロジェクター２００と、によるシステム構成であってもよい。このような、画像投射スクリーン１００と、１台のプロジェクター２００と、によるシステム構成であっても、画像投射スクリーン１００の視認空間Ｖｓ内で、多彩な演出の画像表示を視認することが可能となる。
【００５５】
（第４実施形態）
図５は、第４実施形態に係る画像表示システムを示し、（ａ）は概略構成を示す外観斜視図、（ｂ）は（ａ）に示すＥ面での概略断面図である。なお、上述した第１実施形態に係る画像投射スクリーン１００、および第３実施形態に係るシステム１０００と同じ構成要素には同じ符号を付し、説明は省略する。
【００５６】
図５（ａ）に示す画像表示システム２０００（以下、システム２０００という）は、反射型スクリーン２０と、画像を投射するプロジェクター２００と、の間に半透過型スクリーン２０１０が配置されている。そして、図５（ｂ）に示すように、反射型スクリーン２０と、半透過型スクリーン２０１０と、によって囲まれる視認空間Ｖｓが形成され、人Ｈｕは視認空間Ｖｓ内において反射型スクリーン２０と、半透過型スクリーン２０１０と、にプロジェクター２００から投射される映像を視認することができる。
【００５７】
本実施形態に係るシステム２０００は、図５（ｂ）に示すように、半透過型スクリーン２０１０を天井部４００の天井面４００ａから吊下げる支持装置２５００を備えている。支持装置２５００は、半透過型スクリーン２０１０を天井面４００ａに沿って移動可能とする移動部を備えるスクリーン保持部２５１０と、半透過型スクリーン２０１０を備えたスクリーン保持部２５１０と、を反射型スクリーン２０とプロジェクター２００との間で、画像投射方向となる図示矢印Ｓ方向に移動可能とする天井面４００ａに設置されるスクリーン駆動部としての搖動装置２５２０と、を備えている。
【００５８】
システム２０００では、ＰＣ１３００の画像データの送信に合わせて、スクリーン制御部２４００に搖動装置２５２０の駆動信号を送信し、プロジェクター２００からの画像投射に同期させて、搖動装置２５２０を駆動させることができる。搖動装置２５２０は、Ｓ方向に、例えば小刻みにスクリーン保持部２５１０を往復させることで、柔軟性を備える半透過型スクリーン２０１０を揺らし、波打つような動きを与えることができる。これにより、例えば、水面の波の映像を搖動装置２５２０で揺らした半透過型スクリーン２０１０に映し出すことで、躍動感ある波の映像を提供することができる。
【００５９】
図６は、第４実施形態に係るシステム２０００のその他の形態としての画像表示システム３０００（以下、システム３０００という）の概略構成を示す外観斜視図である。図６に示すように、システム３０００は第１実施形態に係る画像投射スクリーン１００と、プロジェクター２００と、を備えている。第４実施形態に係るシステム２０００では、半透過型スクリーン２０１０は搖動装置２５２０によって搖動させられたが、本形態のシステム３０００では、搖動装置としての送風機３２００から送出される風によって半透過型スクリーン１０を揺らす構成とした。
【００６０】
送風機３２００と、プロジェクター２００と、はＰＣ１３００によって制御され、ＰＣ１３００から送出される画像データに基づく画像をプロジェクター２００から投射し、その画像に合わせた半透過型スクリーン１０を揺らせる風力の風を送出するようにＰＣ１３００から搖動装置制御部３１００へ制御信号が送出される。そして、搖動装置制御部３１００から送風機３２００には、風力、風向等の駆動信号が送出され、映し出された画像に合わせた半透過型スクリーン１０の揺れを作り出すことができる。
【００６１】
システム３０００では、搖動装置として簡単な機構の送風機３２００を用いることで、容易に半透過型スクリーン１０の揺れを作り出すことができ、更に、送風機３２００を任意の位置に移動設置が可能なため、システム３０００の設置会場の状態に柔軟に対応することが可能となる。
【符号の説明】
【００６２】
１０…半透過型スクリーン、２０…反射型スクリーン、１００…画像投射スクリーン、２００…プロジェクター、３００…床部、４００…天井部、５００…吊下げ手段。
【図１】
2016114871.tif 000003
【図２】
2016114871.tif 000004
【図３】
2016114871.tif 000005
【図４】
2016114871.tif 000006
【図５】
2016114871.tif 000007
【図６】
2016114871.tif 000008